(57)【要約】【課題】製造コストをさらに低減しうる蓄冷機能付きエバポレータを提供する。【解決手段】蓄冷材機能付きエバポレータの蓄冷材容器15は、互いに接合された２枚のアルミニウム板29,31からなる。蓄冷材容器15に、両アルミニウム板29,31を外方に膨出させることによって蓄冷材封入部15aを設ける。蓄冷材容器15を構成する２枚のアルミニウム板29,31のうちいずれか一方の第１アルミニウム板29の下端部のみを、同他方の第２アルミニウム板31の下端部よりも下方に突出させる。下方突出部32を、蓄冷材容器15の両側の冷媒流通管間に位置させる。第１アルミニウム板29の下方突出部32に、長手方向を上下方向に向けた凸条からなり、かつ蓄冷材容器15の両側に位置する冷媒流通管側に突出した風抜け抑制部33,34を、通風方向に間隔をおいて複数設ける。【選択図】図７
2015090249.tif 000002
【特許請求の範囲】
【請求項１】
長手方向が上下方向を向くとともに幅方向が通風方向を向いた複数の扁平状冷媒流通管が、冷媒流通管の厚み方向に間隔をおいて並列状に配置されており、隣り合う冷媒流通管どうしの間に間隙が形成され、全間隙のうちの一部でかつ複数の間隙に蓄冷材が封入された蓄冷材容器が配置され、残りの間隙にフィンが配置されて冷媒流通管に接合されており、蓄冷材容器が互いに接合された２枚の金属板からなり、蓄冷材容器に、両金属板のうち少なくともいずれか一方の金属板を外方に膨出させることにより蓄冷材封入部が設けられている蓄冷機能付きエバポレータであって、
蓄冷材容器を構成する２枚の金属板のうちいずれか一方の第１金属板における上下両端部のうち少なくともいずれか一端部が、同他方の第２金属板の上下両端部のうち少なくともいずれか一端部よりも上下方向外方に突出し、当該上下方向外方突出部が、蓄冷材容器の両側の冷媒流通管間に位置している蓄冷機能付きエバポレータ。
【請求項２】
第１金属板の第２金属板よりも上下方向外方に突出した外方突出部に、蓄冷材容器の両側に位置する冷媒流通管側に突出した複数の風抜け抑制部が設けられており、少なくとも一部の風抜け抑制部の突出端部が冷媒流通管に接合されている請求項１記載の蓄冷機能付きエバポレータ。
【請求項３】
風抜け抑制部が長手方向を上下方向に向けた凸条からなり、複数の風抜け抑制部が通風方向に間隔をおいて設けられ、全ての凸条が、外方突出部に上下方向に間隔をおいて形成された通風方向にのびる２つのスリットからなるスリット対を通風方向に間隔をおいて複数対形成するとともに、第１金属板の外方突出部における各スリット対の両スリット間の部分を冷媒流通管側に突出させることによって設けられている請求項２記載の蓄冷機能付きエバポレータ。
【請求項４】
第１金属板の第２金属板よりも上下方向外方に突出した外方突出部と、蓄冷材容器の両側の冷媒流通管との間に通風間隙が形成され、第１金属板の外方突出部に、蓄冷材容器の両側に位置する冷媒流通管側に突出した複数の伝熱促進部が設けられており、少なくとも一部の伝熱促進部の突出端部が冷媒流通管に接合されている請求項１記載の蓄冷機能付きエバポレータ。
【請求項５】
伝熱促進部が、外方突出部を部分的に冷媒流通管側に膨出させることによって形成されたカップ状凸部からなり、複数の伝熱促進部が外方突出部の全体に点在するように設けられている請求項４記載の蓄冷機能付きエバポレータ。
【請求項６】
伝熱促進部が長手方向を通風方向に向けた凸条からなり、複数の伝熱促進部が上下方向に間隔をおいて設けられ、全ての凸条が、外方突出部に通風方向に間隔をおいて形成された上下方向にのびる２つのスリットからなるスリット対を上下方向に間隔をおいて複数対形成するとともに、第１金属板の外方突出部における各スリット対の両スリット間の部分を冷媒流通管側に突出させることによって設けられている請求項４記載の蓄冷機能付きエバポレータ。
【請求項７】
伝熱促進部となる凸条が横断面Ｖ字状であり、伝熱促進部を形成する２つの壁部に複数の貫通穴が形成されている請求項６記載の蓄冷機能付きエバポレータ。
【請求項８】
第１金属板の下端部のみが、第２金属板の下端部よりも下方に突出している請求項１〜７のうちのいずれかに記載の蓄冷機能付きエバポレータ。
【発明の詳細な説明】
【技術分野】
【０００１】
この発明は、停車時に圧縮機の駆動源であるエンジンを一時的に停止させる車両のカーエアコンに用いられる蓄冷機能付きエバポレータに関する。
【０００２】
この明細書および特許請求の範囲において、図２の上下、左右を上下、左右というものとする。
【背景技術】
【０００３】
近年、環境保護や自動車の燃費向上などを目的として、信号待ちなどの停車時にエンジンを自動的に停止させる自動車が提案されている。
【０００４】
しかしながら、通常のカーエアコンにおいては、エンジンを停止させると、エンジンを駆動源とする圧縮機が停止するので、エバポレータに冷媒が供給されなくなり、冷房能力が急激に低下するという問題がある。
【０００５】
そこで、このような問題を解決するために、エバポレータに蓄冷機能を付与し、エンジンが停止して圧縮機が停止した際に、エバポレータに蓄えられた冷熱を放冷して車室内を冷却することが考えられている。
【０００６】
蓄冷機能付きエバポレータとして、本出願人は、先に、長手方向が上下方向を向くとともに幅方向が通風方向を向いた複数の扁平状冷媒流通管が、冷媒流通管の厚み方向に間隔をおいて並列状に配置されており、隣り合う冷媒流通管どうしの間に間隙が形成され、全間隙のうちの一部でかつ複数の間隙に蓄冷材が封入された蓄冷材容器が配置され、残りの間隙にフィンが配置されて冷媒流通管に接合されており、蓄冷材容器が互いに接合された２枚の金属板からなり、蓄冷材容器に、両金属板のうち少なくともいずれか一方の金属板を外方に膨出させることにより蓄冷材封入部が設けられ、両金属板の上下方向の長さが等しくなっている蓄冷機能付きエバポレータを提案した（特許文献１参照）。特許文献１記載の蓄冷機能付きエバポレータにおいては、蓄冷材容器を構成する２枚の金属板は、専用の金型を用いて金属素板にプレス加工を施すことによって形成されている。
【０００７】
しかしながら、特許文献１記載の蓄冷機能付きエバポレータの場合、高さが異なる複数種の蓄冷機能付きエバポレータをつくるには、高さの異なる複数種の金属板を用意する必要があり、各金属板をプレス加工により成形する専用の金型も複数種必要となる。
【先行技術文献】
【特許文献】
【０００８】
【特許文献１】特開２０１２−４２１６７号公報
【発明の概要】
【発明が解決しようとする課題】
【０００９】
この発明の目的は、製造コストをさらに低減しうる蓄冷機能付きエバポレータを提供することにある。
【課題を解決するための手段】
【００１０】
本発明は、上記目的を達成するために以下の態様からなる。
【００１１】
1)長手方向が上下方向を向くとともに幅方向が通風方向を向いた複数の扁平状冷媒流通管が、冷媒流通管の厚み方向に間隔をおいて並列状に配置されており、隣り合う冷媒流通管どうしの間に間隙が形成され、全間隙のうちの一部でかつ複数の間隙に蓄冷材が封入された蓄冷材容器が配置され、残りの間隙にフィンが配置されて冷媒流通管に接合されており、蓄冷材容器が互いに接合された２枚の金属板からなり、蓄冷材容器に、両金属板のうち少なくともいずれか一方の金属板を外方に膨出させることにより蓄冷材封入部が設けられている蓄冷機能付きエバポレータであって、
蓄冷材容器を構成する２枚の金属板のうちいずれか一方の第１金属板における上下両端部のうち少なくともいずれか一端部が、同他方の第２金属板の上下両端部のうち少なくともいずれか一端部よりも上下方向外方に突出し、当該上下方向外方突出部が、蓄冷材容器の両側の冷媒流通管間に位置している蓄冷機能付きエバポレータ。
【００１２】
2)第１金属板の第２金属板よりも上下方向外方に突出した外方突出部に、蓄冷材容器の両側に位置する冷媒流通管側に突出した複数の風抜け抑制部が設けられており、少なくとも一部の風抜け抑制部の突出端部が冷媒流通管に接合されている上記1)記載の蓄冷機能付きエバポレータ。
【００１３】
3)風抜け抑制部が長手方向を上下方向に向けた凸条からなり、複数の風抜け抑制部が通風方向に間隔をおいて設けられ、全ての凸条が、外方突出部に上下方向に間隔をおいて形成された通風方向にのびる２つのスリットからなるスリット対を通風方向に間隔をおいて複数対形成するとともに、第１金属板の外方突出部における各スリット対の両スリット間の部分を冷媒流通管側に突出させることによって設けられている上記2)記載の蓄冷機能付きエバポレータ。
【００１４】
4)第１金属板の第２金属板よりも上下方向外方に突出した外方突出部と、蓄冷材容器の両側の冷媒流通管との間に通風間隙が形成され、第１金属板の外方突出部に、蓄冷材容器の両側に位置する冷媒流通管側に突出した複数の伝熱促進部が設けられており、少なくとも一部の伝熱促進部の突出端部が冷媒流通管に接合されている上記1)記載の蓄冷機能付きエバポレータ。
【００１５】
5)伝熱促進部が、外方突出部を部分的に冷媒流通管側に膨出させることによって形成されたカップ状凸部からなり、複数の伝熱促進部が外方突出部の全体に点在するように設けられている上記4)記載の蓄冷機能付きエバポレータ。
【００１６】
6)伝熱促進部が長手方向を通風方向に向けた凸条からなり、複数の伝熱促進部が上下方向に間隔をおいて設けられ、全ての凸条が、外方突出部に通風方向に間隔をおいて形成された上下方向にのびる２つのスリットからなるスリット対を上下方向に間隔をおいて複数対形成するとともに、第１金属板の外方突出部における各スリット対の両スリット間の部分を冷媒流通管側に突出させることによって設けられている上記4)記載の蓄冷機能付きエバポレータ。
【００１７】
7)伝熱促進部となる凸条が横断面Ｖ字状であり、伝熱促進部を形成する２つの壁部に複数の貫通穴が形成されている上記6)記載の蓄冷機能付きエバポレータ。
【００１８】
8)第１金属板の下端部のみが、第２金属板の下端部よりも下方に突出している上記1)〜7)のうちのいずれかに記載の蓄冷機能付きエバポレータ。
【発明の効果】
【００１９】
上記1)〜8)の蓄冷機能付きエバポレータによれば、蓄冷材容器を構成する２枚の金属板のうちいずれか一方の第１金属板における上下両端部のうち少なくともいずれか一端部が、同他方の第２金属板の上下両端部のうち少なくともいずれか一端部よりも上下方向外方に突出しているので、高さの異なる複数種の蓄冷機能付きエバポレータをつくる場合であっても、第２金属板としては全種類の蓄冷機能付きエバポレータに共通したものを使用することをできる。したがって、特許文献１記載の蓄冷機能付きエバポレータをつくる場合と比べて、用意するプレス加工用金型の種類が少なくて済み、ひいては蓄冷機能付きエバポレータの製造コストを一層低減することが可能になる。
【００２０】
しかも、第１金属板を、第２金属板に接合される部分を形成する第１の型と、外方突出部を形成する第２の型とからなる分割型を用いてプレス加工を施すようにすれば、第２の型のみを交換することにより高さの異なる複数種の第１金属板を形成することが可能になる。
【００２１】
上記2)および3)の蓄冷機能付きエバポレータによれば、圧縮機の作動時に、蓄冷材容器の第１金属板の外方突出部と、蓄冷材容器の両側の冷媒流通管との間の間隙を多くの空気が抜けることが抑制されるので、フィンが配置されている間隙を流れる空気の減少を抑制することが可能になる。したがって、圧縮機の作動時の熱交換性能の低下を抑制することができる。
【００２２】
上記4)〜7)の蓄冷機能付きエバポレータによれば、圧縮機の作動時に、第１金属板の第２金属板よりも上下方向外方に突出した外方突出部と、蓄冷材容器の両側の冷媒流通管との間に形成された通風間隙を空気が流れ、当該空気と、冷媒流通管内を流れる冷媒との間での伝熱が促進される。したがって、前記通風間隙を流れた空気を冷房に供することが可能になり、冷房性能を向上させることができる。
【００２３】
上記6)の蓄冷機能付きエバポレータによれば、上下の凸条間の間隔を適当に調節することによって、次の効果を奏する。すなわち、上記8)のように、第１金属板の下端部が第２金属板の下端部よりも下方に突出している場合、圧縮機の作動時には、冷媒流通管内を流れる冷媒により冷却されることによって蓄冷材容器の表面に凝縮水が発生し、当該凝縮水は、流下して第１金属板の外方突出部に至り、表面張力により隣り合う伝熱促進部間に溜まった後に排水される。したがって、圧縮機が停止した直後には、外方突出部の伝熱促進部間に比較的多くの凝縮水が貯まっていることになり、凝縮水の顕熱としての冷熱が、伝熱促進部を経て、前記外方突出部と、蓄冷材容器の両側の冷媒流通管との間に形成された通風間隙を通過する空気に伝えられ、当該空気が冷却される。その結果、凝縮水が冷房能力の急激な低下の防止に貢献する。
【図面の簡単な説明】
【００２４】
【図１】この発明の蓄冷機能付きエバポレータの全体構成を示す一部を省略した斜視図である。
【図２】この発明の蓄冷機能付きエバポレータの全体構成を示す通風方向下流側から見た正面図である。
【図３】図１および図２の蓄冷機能付きエバポレータに用いられる蓄冷材容器を示す左側面図である。
【図４】図３のＡ−Ａ線拡大断面図である。
【図５】図３のＢ−Ｂ線拡大断面図である。
【図６】図１および図２の蓄冷機能付きエバポレータに用いられる蓄冷材容器の上部を示し、左側の金属板を切除して示す図３の一部分に相当する図である。
【図７】図１および図２の蓄冷機能付きエバポレータに用いられる蓄冷材容器を示す分解斜視図である。
【図８】図１および図２の蓄冷機能付きエバポレータに用いられる蓄冷材容器の変形例を示す図３の一部分に相当する図である。
【図９】図８のＣ−Ｃ線拡大断面図である。
【図１０】図１および図２の蓄冷機能付きエバポレータに用いられる蓄冷材容器の他の変形例を示す図３の一部分に相当する図である。
【図１１】図１０のＤ−Ｄ線拡大断面図である。
【発明を実施するための形態】
【００２５】
以下、この発明の実施形態を、図面を参照して説明する。
【００２６】
以下の説明において、通風方向下流側（図１〜図３に矢印Ｘで示す方向）を前、これと反対側を後というものとする。したがって、前方から後方を見た際の上下、左右が図２の上下、左右となる。
【００２７】
また、全図面を通じて同一物および同一部分には同一符号を付して重複する説明を省略する。
【００２８】
さらに、以下の説明において、「アルミニウム」という用語には、純アルミニウムの他にアルミニウム合金を含むものとする。
【００２９】
図１および図２はこの発明による蓄冷機能付きエバポレータの全体構成を示し、図３〜図７はその要部の構成を示す。
【００３０】
図１および図２において、蓄冷機能付きエバポレータ(1)は、長手方向を左右方向に向けた状態で上下方向に間隔をおいて配置されたアルミニウム製第１ヘッダタンク(2)およびアルミニウム製第２ヘッダタンク(3)と、両ヘッダタンク(2)(3)間に設けられた熱交換コア部(4)とを備えている。
【００３１】
第１ヘッダタンク(2)は、前側（通風方向下流側）に位置する風下側上ヘッダ部(5)と、後側（通風方向上流側）に位置しかつ風下側上ヘッダ部(5)に一体化された風上側上ヘッダ部(6)とを備えている。風下側上ヘッダ部(5)の左端部に冷媒入口(7)が設けられ、風上側上ヘッダ部(6)の左端部に冷媒出口(8)が設けられている。第２ヘッダタンク(3)は、前側に位置する風下側下ヘッダ部(9)と、後側に位置しかつ風下側下ヘッダ部(9)に一体化された風上側下ヘッダ部(11)とを備えている。
【００３２】
熱交換コア部(4)には、長手方向が上下方向を向くとともに幅方向が通風方向（前後方向）を向いた複数のアルミニウム押出形材製扁平状冷媒流通管(12)が、左右方向（冷媒流通管(12)の厚み方向）に間隔をおいて並列状に配置されている。ここでは、前後方向に間隔をおいて配置された２つの冷媒流通管(12)からなる複数の組(13)が左右方向に間隔をおいて配置されており、前後の冷媒流通管(12)よりなる組(13)の隣り合うものどうしの間に間隙(14A)(14B)が形成されている。前側の冷媒流通管(12)の上端部は風下側上ヘッダ部(5)に接続されるとともに、同下端部は風下側下ヘッダ部(9)に接続されている。また、後側の冷媒流通管(12)の上端部は風上側上ヘッダ部(6)に接続されるとともに、同下端部は風上側下ヘッダ部(11)に接続されている。
【００３３】
熱交換コア部(4)における全間隙(14A)(14B)のうちの一部でかつ複数の間隙(14A)であって、相互に隣接していない間隙(14A)において、蓄冷材（図示略）が封入されたアルミニウム製蓄冷材容器(15)が、前後両冷媒流通管(12)に跨るように配置されている。また、残りの間隙(14B)に、両面にろう材層を有するアルミニウムブレージングシートからなり、かつ前後方向にのびる波頂部、前後方向にのびる波底部、および波頂部と波底部とを連結する連結部よりなるコルゲート状のアウターフィン(16)が、前後両冷媒流通管(12)に跨るように配置されて間隙(14B)を形成する左右両側の組(13)を構成する前後両冷媒流通管(12)にろう付されている。ここでは、蓄冷材容器(15)が配置された間隙(14A)の左右両側に隣り合う間隙(14B)にはそれぞれアウターフィン(16)が配置されており、左右方向に隣り合う蓄冷材容器(15)間には２つのアウターフィン(16)が位置している。また、左右両端の冷媒流通管(12)の組(13)の外側にも両面にろう材層を有するアルミニウムブレージングシートからなるアウターフィン(16)が配置されて前後両冷媒流通管(12)にろう付され、さらに左右両端のアウターフィン(16)の外側にアルミニウム製サイドプレート(17)が配置されてアウターフィン(16)にろう付されている。
【００３４】
この実施形態のエバポレータ(1)の場合、冷媒は、冷媒入口(7)を通ってエバポレータ(1)の風下側上ヘッダ部(5)内に入り、全冷媒流通管(12)を通って風上側上ヘッダ部(6)の冷媒出口(8)から流出する。
【００３５】
図３〜図７に示すように、蓄冷材容器(15)は、長手方向を上下方向に向けるとともに幅方向を前後方向に向けた扁平状であり、前側冷媒流通管(12)の前側縁よりも後方に位置し、かつ各組(13)の前後２つの冷媒流通管(12)にろう付された容器本体部(18)と、容器本体部(18)の前側縁部（風下側縁部）の一部分、ここでは上部のみに連なるとともに前側冷媒流通管(12)の前側縁よりも前方（通風方向外側）に張り出すように設けられた外方張り出し部(19)とよりなる。蓄冷材容器(15)の容器本体部(18)および外方張り出し部(19)の内部どうしは通じさせられており、これによって蓄冷材容器(15)内に中空状の蓄冷材封入部(15a)が形成されている。外方張り出し部(19)は、容器本体部(18)の前側縁部の上端から一定の長さにわたって設けられており、外方張り出し部(19)の上下方向の長さは容器本体部(18)の上下方向の長さよりも短くなっている。なお、容器本体部(18)および外方張り出し部(19)の左右方向の厚みは等しくなっている。
【００３６】
蓄冷材容器(15)の容器本体部(18)の左右両側壁(18a)外面に、それぞれ上端から下端に向かって漸次低くなるとともに、上下両端が開口した複数の凝縮水排水路(21)が間隔をおいて形成されている。各凝縮水排水路(21)は、蓄冷材容器(15)の容器本体部(18)の左右両側壁(18a)に設けられて外方に膨出した２つの凸部(23)の間に形成されており、隣り合う２つの凝縮水排水路(21)は、両凝縮水排水路(21)間に位置する外方突出部(23)を共有している。すべての凸部(23)の膨出頂壁は平坦であるとともに同一平面上に位置しており、凸部(23)の平坦な膨出頂壁が冷媒流通管(12)に接触した状態でろう付されている。容器本体部(18)の左側壁(18a)の凝縮水排水路(21)および凸部(23)と、右側壁(18a)の凝縮水排水路(21)および凸部(23)とは、一部分が重複するが全体に重複しないように通風方向に若干ずれて設けられている。
【００３７】
蓄冷材容器(15)の容器本体部(18)内には、オフセット状のアルミニウム製インナーフィン(24)が、上下方向のほぼ全体にわたって配置されている。インナーフィン(24)は、上下方向にのびる波頂部(25a)、上下方向にのびる波底部(25b)、および波頂部(25a)と波底部(25b)とを連結する連結部(25c)からなる波状帯板(25)が、上下方向に複数並べられるとともに相互に一体に連結されることにより形成され、上下方向に隣り合う２つの波状帯板(25)の波頂部(25a)どうしおよび波底部(25b)どうしが前後方向に位置ずれしているものである。各波状帯板(25)における波頂部(25a)、波底部(25b)および連結部(25c)の上下方向の長さは等しくなっている。インナーフィン(24)は、蓄冷材容器(15)の容器本体部(18)の左右両側壁(18a)内面、すなわち容器本体部(18)の左右両側壁(18a)の凸部(23)が形成されていない部分にろう付されている。凸部(23)の膨出頂壁は、冷媒流通管(12)に接触するが、インナーフィン(24)には接触しないので、蓄冷材容器(15)の容器本体部(18)の各側壁(18a)に、インナーフィン(24)に接触する接触部分と、インナーフィン(24)に接触しない非接触部分とが設けられていることになる。
【００３８】
蓄冷材容器(15)の外方張り出し部(19)には、左右両方向に膨らみ、かつ左右方向の寸法が容器本体部(18)の左右方向の寸法よりも大きくなっている膨張部(19a)が設けられており、膨張部(19a)がアウターフィン(16)よりも通風方向外側（通風方向下流側）に位置している。
【００３９】
蓄冷材容器(15)内へ充填される蓄冷材としては、凝固点が５〜１０℃程度に調整されたパラフィン系潜熱蓄冷材が用いられる。具体的には、ペンタデカン、テトラデカンなどが用いられる。蓄冷材容器(15)の内部空間の内容積に対する封入された蓄冷材の体積の比率である蓄冷材充填率が７０〜９０％であることが好ましい。ここで、インナーフィン(24)の上端は、蓄冷材容器(15)内に封入された蓄冷材の上端よりも上方に位置していることが好ましい。この場合、蓄冷材に冷熱が蓄えられる蓄冷時、および蓄冷材に蓄えられた冷熱を放出する放冷時のいずれにおいても、常に蓄冷材がインナーフィンに接触する。
【００４０】
蓄冷材は、外方張り出し部(19)の上端部に設けられて上方に開口した蓄冷材注入口(27)を通して蓄冷材容器(15)内に注入されている。蓄冷材注入口(27)は、外方張り出し部(19)の上端部に固定されて外方張り出し部(19)を外部に通じさせる円筒状注入部材(22)の内部に設けられている。蓄冷材注入口(27)は、蓄冷材の蓄冷材容器(15)内への注入後に、注入部材(22)の上部を圧潰することによって閉鎖されている。その結果、外方張り出し部(19)の上端部に、蓄冷材注入口(27)を閉じることにより形成された封止部(28)が存在している。封止部(28)は、外方張り出し部(19)の上端から上方に突出しており、蓄冷機能付きエバポレータ(1)の通風面に対して、上方に向かって容器本体部(18)から離れる方向、ここでは風下側に傾斜している。
【００４１】
蓄冷材容器(15)の強度は、通常の使用環境温度範囲、たとえば−４０〜９０℃の範囲内においては、液相状態の蓄冷材が密度変化するとともに、蓄冷材容器(15)内に残存している空気が熱膨張することにより内圧が上昇したとしても、破損しないような強度に設計されている。
【００４２】
図７に詳細に示すように、蓄冷材容器(15)は、両面にろう材層を有するアルミニウムブレージングシートにプレス加工が施されることにより形成され、かつ周縁部どうしが互いにろう付された２枚の略縦長方形状アルミニウム板(29)(31)（金属板）よりなり、蓄冷材容器(15)に、両アルミニウム板(29)(31)のうち少なくともいずれか一方のアルミニウム板(29)(31)を外方に膨出されることによって蓄冷材封入部(15a)が設けられている。この実施形態では、各アルミニウム板(29)(31)には、容器本体部(18)および外方張り出し部(19)を形成する膨出高さの等しい第１膨出部(29a)(31a)と、第１膨出部(29a)(31a)における容器本体部(18)を形成する部分の膨出頂壁に設けられかつ凸部(23)となる第２膨出部(29b)(31b)と、第１膨出部(29a)(31a)における外方張り出し部(19)を形成する部分の膨出頂壁に設けられかつ膨張部(19a)を形成する第３膨出部(29c)(31c)と、第３膨出部(29c)(31c)の上端に連なって上方に延びるように設けられかつ第３膨出部(29c)(31c)内を上方に通じさせる半円筒状の第４膨出部(29d)(31d)とが設けられている。
【００４３】
２枚のアルミニウム板(29)(31)のうちいずれか一方の第１アルミニウム板(29)における上下両端部のうち少なくともいずれか一端部、ここでは下端部のみが、同他方の第２アルミニウム板(31)の下端部よりも下方（上下方向外方）に突出している。第１アルミニウム板(29)の下方突出部（上下方向外方突出部）を(32)で示す。第１アルミニウム板(29)の下方突出部(32)に、長手方向を上下方向に向けた横断面Ｖ字状の凸条からなり、かつ蓄冷材容器(15)の左右両側の冷媒流通管(12)側に突出した風抜け抑制部(33)(34)が、通風方向に間隔をおいて複数設けられている。全風抜け抑制部(33)(34)のうちの少なくとも一部、ここでは全ての風抜け抑制部(33)(34)の突出端部が冷媒流通管(12)にろう付されている。すなわち、第１アルミニウム板(29)の下方突出部(32)に、左方に突出して突出端部が間隙(14A)を構成する左側の組(13)の冷媒流通管(12)にろう付された風抜け抑制部(33)と、右方に突出して突出端部が間隙(14A)を構成する右側の組(13)の冷媒流通管(12)にろう付された風抜け抑制部(34)とが通風方向に交互に並んで設けられている。各風抜け抑制部(33)(34)は、第１アルミニウム板(29)の下方突出部(32)に上下方向に間隔をおいて形成された通風方向にのびる２つのスリット(35)からなるスリット対を通風方向に間隔をおいて複数対形成するとともに、下方突出部(32)における各スリット対の両スリット(35)間の部分を、左右いずれかの冷媒流通管(12)側にＶ字状に曲げて突出させることによって設けられている。
【００４４】
そして、２枚のアルミニウム板(29)(31)を、インナーフィン(24)を間に挟んで第１膨出部(29a)(31a)の開口どうしが対向するとともに、第４膨出部(29d)(31d)間に注入部材(22)の下部に設けられた小径部(22a)が挟まれるように組み合わせ、この状態で両アルミニウム板(29)(31)における第１膨出部(29a)(31a)の周囲の部分どうし、および両アルミニウム板(29)(31)と注入部材(22)とをろう付することによって蓄冷材容器(15)が形成されている。蓄冷材は、上部が圧潰される前の注入部材(22)内の蓄冷材注入口(27)を通して蓄冷材容器(15)の蓄冷材封入部(15a)内に注入され、オフセット状インナーフィン(24)の上下方向に隣り合う２つの波状帯板(25)間に形成された隙間を通って蓄冷材封入部(15a)内の全体に行き渡る。蓄冷材の注入後に、蓄冷材注入口(27)は注入部材(22)の上部を圧潰することにより封止され、これにより封止部(28)が形成されている。
【００４５】
上述した蓄冷機能付きエバポレータ(1)は、車両のエンジンを駆動源とする圧縮機、圧縮機から吐出された冷媒を冷却するコンデンサ（冷媒冷却器）、コンデンサを通過した冷媒を減圧する膨張弁（減圧器）とともに冷凍サイクルを構成し、カーエアコンとして、停車時に圧縮機の駆動源であるエンジンを一時的に停止させる車両、たとえば自動車に搭載される。圧縮機が作動している場合には、圧縮機で圧縮されてコンデンサおよび膨張弁を通過した低圧の気液混相の２相冷媒が、冷媒入口(7)を通って蓄冷機能付きエバポレータ(1)の風下側上ヘッダ部(5)内に入り、全冷媒流通管(12)を通って風上側上ヘッダ部(6)の冷媒出口(8)から流出する。そして、冷媒が冷媒流通管(12)内を流れる間に、間隙(14B)を通過する空気と熱交換をし、冷媒は気相となって流出する。
【００４６】
圧縮機の作動時には、冷媒流通管(12)内を流れる冷媒の有する冷熱が、蓄冷材容器(15)の容器本体部(18)の左右両側壁(18a)における冷媒流通管(12)にろう付されている凸部(23)の膨出頂壁を経て直接蓄冷材容器(15)内の蓄冷材に伝わるとともに、凸部(23)の膨出頂壁から左右両側壁(18a)における冷媒流通管(12)にろう付されていない部分およびインナーフィン(24)を経て蓄冷材容器(15)内の蓄冷材の全体に伝わって蓄冷材に冷熱が蓄えられる。
【００４７】
このとき、風抜け抑制部(33)(34)の働きによって、蓄冷材容器(15)の第１アルミニウム板(29)の下方突出部(32)と、蓄冷材容器(15)が配置されている間隙(14A)の左右両側の組(13)を構成する両冷媒流通管(12)との間の間隙を多くの空気が抜けることを抑制することができるので、アウターフィン(16)が配置されている間隙(14B)を流れる空気の減少を抑制することが可能になり、熱交換性能の低下を抑制することができる。
【００４８】
また、蓄冷材容器(15)表面に発生した凝縮水は、凝縮水排水路(21)内に入り、表面張力により凝縮水排水路(21)の両側の凸部(23)に沿うようにして凝縮水排水路(21)内に溜まる。溜まった凝縮水の量が多くなると、溜まった凝縮水に作用する重力が表面張力よりも大きくなり、凝縮水排水路(21)内を流下し、第１アルミニウム板(29)の外方突出部(32)を経て下方に排水される。
【００４９】
圧縮機が停止した場合には、蓄冷材容器(15)内の蓄冷材に蓄えられた冷熱が、蓄冷材容器(15)の容器本体部(18)の左右両側壁(18a)における冷媒流通管(12)にろう付されている凸部(23)の膨出頂壁を経て直接冷媒流通管(12)に伝わるとともに、インナーフィン(24)から左右両側壁(18a)における冷媒流通管(12)にろう付されていない部分および凸部(23)の膨出頂壁を経て冷媒流通管(12)に伝わり、さらに冷媒流通管(12)を通過して当該冷媒流通管(12)における蓄冷材容器(15)とは反対側にろう付されているアウターフィン(16)に伝わる。そして、アウターフィン(16)を介して蓄冷材容器(15)が配置されている間隙(14A)の両隣の間隙(14B)を通過する空気に伝えられる。したがって、エバポレータ(1)を通過した風の温度が上昇したとしても、当該風は冷却されるので、冷房能力の急激な低下が防止される。
【００５０】
図８および図９はこの発明による蓄冷機能付きエバポレータに用いられる蓄冷材容器の変形例を示す。
【００５１】
図８および図９に示す蓄冷材容器(40)を構成する第１アルミニウム板(29)の下方突出部(32)に、下方突出部(32)を部分的に蓄冷材容器(15)の両側に位置する冷媒流通管(12)側に膨出させることによって形成されたカップ状凸部からなる伝熱促進部(41)(42)が、下方突出部(32)の全体に点在するように複数設けられている。全ての伝熱促進部(41)(42)のうち少なくとも一部、ここでは一部の伝熱促進部(41)(42)の突出端部が冷媒流通管(12)にろう付されている。すなわち、第１アルミニウム板(29)の下方突出部(32)に、左方に突出したカップ状凸部からなる伝熱促進部(41)と、右方に突出したカップ状凸部からなる伝熱促進部(42)とが、下方突出部(32)の全体に点在するように設けられている。そして、下方突出部(32)と、蓄冷材容器(15)の両側に位置する冷媒流通管(12)との間の間隙が、通風間隙(43)となっている。
【００５２】
図８および図９に示す蓄冷材容器(40)を備えた蓄冷機能付きエバポレータの場合、圧縮機の作動時には、冷媒流通管(12)内を流れる冷媒と通風間隙(43)を流れる空気との間で熱交換が行われ、通風間隙(43)を通過する間に冷却されて低温の空気も、車室内の冷房に供される。したがって、冷房能力が向上する。
【００５３】
また、圧縮機の停止時には、蓄冷材容器(15)内の蓄冷材に蓄えられた冷熱が、第１アルミニウム板(29)の下方突出部(32)および伝熱促進部(41)(42)を経て通風間隙(43)を通過する空気に伝えられ、当該空気が冷却される。したがって、下方突出部(32)および伝熱促進部(41)(42)が冷房能力の急激な低下の防止に貢献する。
【００５４】
なお、圧縮機の作動時における蓄冷材への冷熱の蓄冷と、蓄冷材容器(40)表面に発生した凝縮水の排水と、圧縮機の停止時における蓄冷材に蓄えられた冷熱のアウターフィン(16)が配置された間隙(14B)を流れる空気への伝熱は、上述した実施形態の場合と同様に行われる。
【００５５】
図１０および図１１はこの発明による蓄冷機能付きエバポレータに用いられる蓄冷材容器の変形例を示す。
【００５６】
図１０および図１１に示す蓄冷材容器(50)を構成する第１アルミニウム板(29)の下方突出部(32)に、長手方向を通風方向に向けた横断面Ｖ字状の凸条からなり、かつ蓄冷材容器(15)の両側に位置する冷媒流通管(12)側に突出して突出端部が冷媒流通管(12)にろう付された伝熱促進部(51)(52)が、上下方向に間隔をおいて複数設けられている。すなわち、第１アルミニウム板(29)の下方突出部(32)に、左方に突出して突出端部が間隙(14A)を構成する左側の組(13)の冷媒流通管(12)にろう付された伝熱促進部(51)と、右方に突出して突出端部が間隙(14A)を構成する右側の組(13)の冷媒流通管(12)にろう付された伝熱促進部(52)とが上下方向に交互に並んで設けられている。各伝熱促進部(51)(52)は、第１アルミニウム板(29)の下方突出部(32)に通風方向に間隔をおいて形成された通風方向にのびる２つのスリット(53)からなるスリット対を上下方向に間隔をおいて複数対形成するとともに、下方突出部(32)における各スリット対の両スリット(53)間の部分を、左右いずれかの冷媒流通管(12)側にＶ字状に曲げて突出させることによって設けられている。そして、下方突出部(32)と、蓄冷材容器(15)の両側に位置する冷媒流通管(12)との間の間隙が、通風間隙(54)となっている。各伝熱促進部(51)(52)を形成する２つの壁(51a)(52a)には複数の貫通穴(55)が点在するように形成されている。
【００５７】
図１０および図１１に示す蓄冷材容器(50)を備えた蓄冷機能付きエバポレータの場合、圧縮機の作動時には、冷媒流通管(12)内を流れる冷媒と通風間隙(54)を流れる空気との間で熱交換が行われ、通風間隙(54)を通過する間に冷却されて低温の空気も、車室内の冷房に供される。したがって、冷房能力が向上する。
【００５８】
また、圧縮機の作動時には、冷媒流通管(12)内を流れる冷媒により冷却されることにより蓄冷材容器(50)の表面に発生した凝縮水は凝縮水排水路(21)内に入り、表面張力により凝縮水排水路(21)の両側の凸部(23)に沿うようにして凝縮水排水路(21)内に溜まる。溜まった凝縮水の量が多くなると、溜まった凝縮水に作用する重力が表面張力よりも大きくなり、凝縮水排水路(21)内を流下して第１アルミニウム板(29)の下方突出部(32)に至り、表面張力により隣り合う伝熱促進部(51)(52)間、および各伝熱促進部(51)(52)を形成する２つの壁(51a)(52a)間に比較的多く溜まった後に排水される。したがって、蓄冷材容器(15)の表面に発生した凝縮水は、下方突出部(32)に比較的多く溜まった後に排水されることになり、圧縮機が停止した直後には、下方突出部(15)に保持された凝縮水の顕熱としての冷熱が、伝熱促進部(51)(52)を経て通風間隙(54)を通過する空気に伝えられ、当該空気が冷却される。その結果、凝縮水が、冷房能力の急激な低下の防止に貢献する。
【００５９】
圧縮機の停止時には、蓄冷材容器(50)内の蓄冷材に蓄えられた冷熱が、第１アルミニウム板(29)の下方突出部(32)および伝熱促進部(51)(52)を経て通風間隙(54)を通過する空気に伝えられ、当該空気が冷却される。したがって、下方突出部(32)および伝熱促進部(51)(52)が冷房能力の急激な低下の防止に貢献する。
【００６０】
なお、圧縮機の作動時における蓄冷材への冷熱の蓄冷と、蓄冷材容器(50)表面に発生した凝縮水の排水と、圧縮機の停止時における蓄冷材に蓄えられた冷熱のアウターフィン(16)が配置された間隙(14B)を流れる空気への伝熱は、上述した実施形態の場合と同様に行われる。
【産業上の利用可能性】
【００６１】
この発明による蓄冷機能付きエバポレータは、停車時に圧縮機の駆動源であるエンジンを一時的に停止させる車両のカーエアコンを構成する冷凍サイクルに好適に用いられる。
【符号の説明】
【００６２】
(1)：蓄冷機能付きエバポレータ
(12)：冷媒流通管
(13)：管組
(14A)(14B)：通風間隙
(15)：蓄冷材容器
(15a)：蓄冷材封入部
(16)：アウターフィン
(29)：第１アルミニウム板
(31)：第２アルミニウム板
(32)：下方突出部（外方突出部）
(33)(34)：風抜け抑制部
(35)：スリット
(40)：蓄冷材容器
(41)(42)：伝熱促進部
(43)：通風間隙
(50)：蓄冷材容器
(51)(52)：伝熱促進部
(51a)(52a)：壁部
(53)：スリット
(54)：通風間隙
(55)：穴
【図１】
2015090249.tif 000003
【図２】
2015090249.tif 000004
【図３】
2015090249.tif 000005
【図４】
2015090249.tif 000006
【図５】
2015090249.tif 000007
【図６】
2015090249.tif 000008
【図７】
2015090249.tif 000009
【図８】
2015090249.tif 000010
【図９】
2015090249.tif 000011
【図１０】
2015090249.tif 000012
【図１１】
2015090249.tif 000013